(57)【特許請求の範囲】
【請求項１】
対向する上杆部と下杆部の両端部が連続することによりブラジャーのカップの通り抜けを規制する扁平状の開口部が形成された環状の本体を備え、
上記上杆部に、吊り下げ用の把持具によって当該本体を把持するための把持部と、上記開口部の内外方に連通して上記ブラジャーの上記カップの連結部を上記開口部内に挿入可能な挿入部が形成されることにより、上記下杆部に上記ブラジャーの上記連結部を支承する掛け部が形成されていることを特徴とする物干し具用補助掛け具。
【請求項２】
上記把持部は、上記上杆部の長手方向中央部に、上記下杆部から離間する方向に突出して形成されているとともに、当該把持部の上記下杆部側が、他の部分よりも薄肉に形成されていることを特徴とする請求項１に記載の物干し具用補助掛け具。
【請求項３】
上記挿入部は、上記上杆部の長手方向に対して傾斜して形成されていることを特徴とする請求項１また２に記載の物干し具用補助掛け具。
【請求項４】
上記挿入部は、上記把持部に当該把持部を分断するようにして形成されていることを特徴とする請求項１また２に記載の物干し具用補助掛け具。
【請求項５】
上記掛け部には、上記把持部を上記把持具により把持して吊した際に、下方に位置する上記下杆部の中央に向かって下降する弓形状部が形成されていることを特徴とする請求項１〜４のいずれか１項に記載の物干し具用補助掛け具。
【発明の詳細な説明】
【技術分野】
【０００１】
本発明は、複数のピンチを懸架した物干し具に用いられる物干し具用補助掛け具に関するものである。
【背景技術】
【０００２】
一般的に、折り畳み式の物干し具や円形または角形の物干し具には、複数のピンチが懸架されている。この複数のピンチは、靴下や下着類などの小物類、または衣服などの洗濯物などを挟んで吊すために用いられる。このときに、立体形状のカップ部を有するブラジャーは、干し方などにより当該カップ部の形状を保持しているワイヤーが変形してしまい、型崩れを引き起こしてしまう可能性がある。そのため、物干し具のピンチに吊して干す場合には、上記カップ部の形状が崩れないように、直接カップ部を物干し具のピンチに把持しないようにしたり、肩紐部やバンド部を当該ピンチに吊したりして干している。また、メーカーが推奨する正しい干し方を参考にして、カップの連結部やカップのアンダー部分を挟んで干している。
【０００３】
しかし、複数のピンチが懸架された既存の物干し具においては、ブラジャーのカップ部以外の肩紐部やバンド部に、上記ピンチを挟んで吊す場合が多々ある。このため、水分を含んで重くなったブラジャーは、肩紐部やバンド部に伸びや変形が生じてしまうとともに、カップ部の形状を保持しているワイヤーに負荷がかかり、歪んでしまうという問題がある。
【０００４】
また、物干し具をベランダや庭先など屋外に干す場合に、特に女性用の下着類などは、外部から見えないように隠して干すことが多い。しかし、メーカーが推奨する干し方においては、ブラジャーのカップ部を上方に位置させて干すことになり、周りに靴下やハンカチなどの小物類を干したとしても、上から見えてしまい隠すことができない。このため、ブラジャーを隠すために大きめタオルなど利用して、ブラジャーを覆い隠す必要がある。これにより、大きな物干し具の場合では、大きめなタオルを数枚用意する必要があるとともに、隠すための手間が掛かるという問題もある。
【０００５】
そこで、下記特許文献においては、複数個のハンガー部を下方に離開させて、固定した水平棒状の本体部と、物干し竿に吊着、固定される二股に形成したフック部と、上記の各ハンガー部を覆う袋状のネットとを具備し、上記ハンガー部は水平の環形に形成された棒状からなり、下着を水平の上記環形部に吊り下げるネット付き下着専用ハンガーが提案されている。
【０００６】
この従来のネット付き下着専用ハンガーは、下着を環形のハンガー部に吊り下げて干すことができるとともに、袋状のネットにより下着を隠すことができる。また、袋状のネットの中に、そのままブラジャーを入れて干すことにより、型崩れを防止することができる。
【先行技術文献】
【特許文献】
【０００７】
【特許文献１】実用新案登録第３１５３６７２号公報
【発明の概要】
【発明が解決しようとする課題】
【０００８】
ところが、この従来のネット付き下着専用ハンガーは、少ない数の下着しか干すことができず、しかも下着以外の洗濯物を干すことが難しい。このため、家族の多い家庭や干す場所が限られている場合には、一回で干すことができず、数回に分けて干す必要があり、利便性が悪いという問題がある。
【０００９】
また、袋状のネットを使用する際は、このネットをハンガーに取り付けてから、洗濯物を一つ一つネットの中に入れる必要があり、また洗濯物を取り込む際には、ネットの中から、洗濯物を一つ一つ取り出す必要があるため、とても手間が掛かってしまい、時間の無い人にとっては、とても煩わしいものになるという問題もある。
【００１０】
本発明は、かかる事情に鑑みてなされたもので、複数個のピンチが懸架された既存の物干し具に、着脱自在に取り付けることができ、かつブラジャーの型崩れを防止する物干し具用補助掛け具を提供することを課題とするものである。
【課題を解決するための手段】
【００１１】
上記課題を解決するために、請求項１に記載の発明は、対向する上杆部と下杆部の両端部が連続することによりブラジャーのカップの通り抜けを規制する扁平状の開口部が形成された環状の本体を備え、上記上杆部に、吊り下げ用の把持具によって当該本体を把持するための把持部と、上記開口部の内外方に連通して上記ブラジャーの上記カップの連結部を上記開口部内に挿入可能な挿入部が形成されることにより、上記下杆部に上記ブラジャーの上記連結部を支承する掛け部が形成されていることを特徴とするものである。
【００１２】
また、請求項２に記載の発明は、請求項１に記載の発明において、上記把持部は、上記上杆部の長手方向中央部に、上記下杆部から離間する方向に突出して形成されているとともに、当該把持部の上記下杆部側が、他の部分よりも薄肉に形成されていることを特徴とするものである。
【００１３】
そして、請求項３に記載の発明は、請求項１または２に記載の発明において、上記挿入部は、上記上杆部の長手方向に対して傾斜して形成されていることを特徴とするものである。
【００１４】
さらに、請求項４に記載の発明は、請求項１または２に記載の発明において、上記挿入部は、上記把持部に当該把持部を分断するようにして形成されていることを特徴とするものである。
【００１５】
また、請求項５に記載の発明は、請求項１〜４のいずれか１項に記載の発明において、上記掛け部には、上記把持部を上記把持具により把持して吊した際に、下方に位置する上記下杆部の中央に向かって下降する弓形状部が形成されていることを特徴とするものである。
【発明の効果】
【００１６】
請求項１〜５に記載の本発明によれば、対向する上杆部と下杆部の両端部が連続することにより、ブラジャーのカップの通り抜けを規制する扁平状の開口部が形成されているため、他の洗濯物を干している際に、当該ブラジャーや物干し具にぶつかったり、屋外に干した際強風などにより、当該ブラジャー自体が大きく揺れたとしても、当該ブラジャーがズレて片寄り、一対のカップのバランスが崩れ当該開口部から抜け出して、地面などに落下することがない。これにより、手間を掛けずに干すことができるとともに、ベランダなど屋外にも気兼ねなく干すことができる。
【００１７】
また、上記上杆部には、吊り下げ用の把持具によって、当該本体を把持するための把持部と、上記開口部の内外方に連通して上記ブラジャーの上記カップの連結部を、上記開口部内に挿入可能な挿入部が形成されているため、当該把持部を吊り下げ用の当該把持具により把持してから、当該挿入部に上記ブラジャーの一対のカップの連結部を挿入することができ、物干し竿に当該把持具を吊したまま、他の洗濯物と一緒に上記ブラジャーも干すことができる。この結果、洗濯物の量が多い場合でも、種類により区別することなく、効率良く干すことができる。
【００１８】
そして、事前に上記挿入部に上記ブラジャーのカップの連結部を挿入してから、上記把持部を吊り下げ用の上記把持具により把持させて干すことができる。これにより、多数の上記把持具を有する物干し具などに干す場合に、上記ブラジャーの肩紐部やバンド部などが、多数の上記把持具や他の洗濯物などに絡まることなく、手際よく干すことができる。
【００１９】
さらに、上記下杆部に上記ブラジャーの上記連結部を支承する掛け部が形成されているため、上記ブラジャーを吊す際に、水分を含んで重くなった一対の上記カップを、その中央部により左右均等に干すことができ、当該カップ部の形状を保持するワイヤーに負担を掛けることがないとともに、肩紐部やバンド部にも負担を掛けることがない。この結果、上記ブラジャーのカップの型崩れ、および上記肩紐部や上記バンド部の伸びや変形を防止することができる。
【００２０】
また、上記ブラジャーのカップの上記連結部が、上記掛け部に支承されているため、上記ブラジャーのカップを吊下げ用の上記把持具よりも下方に位置させて干すことができ、上記ブラジャーの周囲に、ハンカチや靴下などの小物類や衣服などの洗濯物を干すことによって、上記ブラジャーのカップを上部から見えづらくすることができる。この結果、人目を気にすることなく、ベランダなどの屋外に干すことができる。
【００２１】
請求項２に記載の発明によれば、上記把持部が、上記上杆部の長手方向中央部に、上記下杆部から離間する方向に突出して形成されているとともに、当該把持部の上記下杆部側が、他の部分よりも薄肉に形成されているため、簡便に吊下げ用の上記把持具により把持させることができるとともに、確実に把持して容易に外れてしまうことを防ぐことができる。また、吊下げ用の上記把持具が傾斜して懸架されていた際に、上記把持部を把持せずに、上記把持部の上記本体の上記開口部側を吊下げ用の上記把持具に掛けて吊持することにより、上記本体を垂直に吊持させることができる。この結果、上記ブラジャーを他の洗濯物に接触させずに干すことができる。
【００２２】
請求項３に記載の発明によれば、上記挿入部が、上記上杆部の長手方向に対して傾斜して形成されているため、上記ブラジャーのカップの上記連結部をスムーズに挿入および取り出しを行うことができる。また、屋外に干した際に、上記ブラジャーが風に煽られても容易に抜け出ることがない。これにより、上記ブラジャーを干したり、取り込んだりする作業を効率よく行うことができるとともに、風の強い日などでも、屋外に干すことができる。
【００２３】
請求項４に記載の発明によれば、上記挿入部が、上記把持部に当該把持部を分断するようにして形成されているため、上記挿入部に上記ブラジャーのカップの連結部を挿入してから、上記把持部を吊下げ用の上記把持具により把持して干すことにより、上記ブラジャーが強風により大きく煽られても、上記ブラジャーは上記本体より抜け出ることがない。この結果、風の強い日であっても、上記ブラジャーがどこかに飛ばされる心配がない。
【００２４】
請求項５に記載の発明によれば、上記掛け部に、上記把持部を上記把持具により把持して吊した際に、下方に位置する上記下杆部の中央に向かって下降する弓形状部が形成されているため、上記ブラジャーを干した際に、上記弓形状部の傾斜により上記掛け部の中央部に、上記ブラジャーのカップの上記連結部が寄ることによって、上記ブラジャーを上記本体の上記下杆部の中央に支承して掛けることができる。これにより、上記ブラジャーを吊した際に、上記本体を水平に保つことができ、上記掛け部の一方の端に寄ってしまうことによる洗濯物同士の重なり合いを防いで、効率良く乾燥させることができる。
【図面の簡単な説明】
【００２５】
【図１】本発明の物干し具用補助掛け具の一実施形態を示し、（ａ）は正面図、（ｂ）は平面図、（ｃ）は右側面図、（ｄ）Ａ−Ａ断面図である。
【図２】本発明の物干し具用補助掛け具の一実施形態の斜視図である。
【図３】本発明の物干し具用補助掛け具の把持部において、ピンチにより吊持した状態を示し、（ａ）は把持部の薄肉の段部を把持して吊持した状態、（ｂ）は本体１の開口部１ｃ内において、ピンチｔの挟持部を閉じて吊持した状態を説明する説明図である。
【図４】本発明の物干し具用補助掛け具に、ブラジャーを掛けた状態を説明する説明図である。
【図５】本発明の物干し具用補助掛け具にブラジャーを掛けて、把持部を物干し具のピンチに把持した状態を示す斜視図である。
【図６】本発明の物干し具用補助掛け具の把持部において、ピンチの片方の指摘部により懸架されたピンチにより吊持した状態を示し、（ａ）は把持部の薄肉の段部を把持して吊持した状態、（ｂ）は本体１の開口部１ｃ内において、ピンチｔの挟持部を閉じて吊持した状態を説明する説明図である。
【図７】本発明の物干し具用補助掛け具の他の実施形態を示す正面図である。
【図８】本発明の物干し具用補助掛け具の他の実施形態を示す斜視図である。
【発明を実施するための形態】
【００２６】
図１〜６は、本発明の物干し具用補助掛け具の一実施形態を示すものである。
図１および図２に示すように、本発明の物干し具用補助掛け具は、対向する上杆部１ａと下杆部１ｂの長手方向の両端部が連続して接続され、当該両端部がＲ状に閉塞されて本体１をなしているとともに、その内方に扁平状の開口部１ｃが形成されている。また、上杆部１ａに、物干し具ｈに懸架されたピンチｔにより把持する把持部３、およびブラジャー２のカップ２ａの連結部２ｂを挿入する挿入部４が形成されるとともに、下杆部１ｂに、ブラジャー２のカップ２ａの連結部２ｂを支承する掛け部５が形成され概略構成されている。
【００２７】
また、開口部１ｃは、対向する上杆部１ａと下杆部１ｂ間の幅寸法が、ブラジャー２の連結部２ｂの厚さ寸法より大きく、かつブラジャー２のカップ２ａが通り抜けできない寸法に形成されている。また、開口部１ｃにおける上杆部１ａおよび下杆部１ｂの長手方向の長さ寸法は、ブラジャー２のカップ２ａの連結部２ｂを収納可能な寸法に形成されている。ちなみに、本実施形態においては、開口部１ｃの上記寸法が５〜２０ｍｍ、長手方向の長さ寸法が５０〜１００ｍｍの範囲に形成されている。
【００２８】
そして、上杆部１ａの長手方向中央部には、下杆部１ｂから離間する方向に突出する把持部３が形成されている。この把持部３は、上杆部１ａの厚さ寸法と同一に形成されているとともに、その下杆部１ｂ側が、薄肉に形成されることにより、段部３ａが形成されている。この薄肉に形成された段部３ａは、図３（ａ）および図５に示すように、物干し具ｈの一般的なピンチｔの挟持部ｔ１により把持できる大きさに形成されている。
【００２９】
さらに、上杆部１ａには、ブラジャー２のカップ２ａの連結部２ｂを挿入する挿入部４が形成されている。この挿入部４は、上杆部１ａの把持部３を除いた位置（図では、把持部３の右側）に形成され、本体１の開口部１ｃの内方と外方とを連通するとともに、上杆部１ａの長手方向に対し傾斜して形成されている。この挿入部４の傾斜は、外方側の挿入口４ａよりも、内方側の取出口４ｂの方が、上杆部１ａの中央側に位置して形成されている。ちなみに、挿入部４の傾斜角度は、１５〜８５°の範囲に形成されている。また、この挿入部４の隙間は、１〜１５ｍｍの範囲に形成されている。
【００３０】
また、本発明の一実施形態の変形例である図７および図８に示す他の実施形態では、挿入部４が把持部３を分断するようにして形成されている。この挿入部４は、把持部３の上部中央より、本体１の開口部１ｃの内方と外方とを連通するとともに、上杆部１ａの長手方向に対して垂直に形成されている。ちなみに、この挿入部４の隙間は、１〜８ｍｍの範囲に形成される。
【００３１】
そして、下杆部１ｂには、ブラジャー２のカップ２ａの連結部２ｂを支承する掛け部５が形成されている。この掛け部５は、把持部３をピンチｔにより把持して吊した際に、下方に位置する下杆部１ｂの中央に向かって下降する弓形状部５ａが形成されている。
【００３２】
以上の構成による本実施形態の物干し具用補助掛け具を用いて、図５に示すように、ブラジャー２を複数のピンチｔが懸架された物干し具ｈに吊して干すためには、まず本体１の上杆部１ａに形成された把持部３を、物干し具ｈのピンチｔで把持する。このときに、図３（ａ）に示すように、ピンチｔの挟持部ｔ１によって、把持部３の薄肉の段部３ａを把持することにより、本体１とピンチｔとが左右にズレずに、強固に把持することができる。
【００３３】
次いで、本体１の上杆部１ａに形成された挿入部４に、ブラジャー２のカップ２ａの連結部２ｂを挿入し、ブラジャー２のカップ２ａの連結部２ｂを下杆部１ｂの掛け部５に支承させる。このときに、ブラジャー２は、本体１の掛け部５を介して、一対のカップ２ａ、２ａが左右対称に吊持される。また、掛け部５に形成された弓形状部５ａの傾斜により、ブラジャー２は、掛け部５の長手方向の略中央に寄って支承される。なお、ブラジャー２の形態により、万一ブラジャー２が傾いて支承された場合には、図３（ｂ）に示すように、把持部３の段部３ａを把持せずに、本体１の開口部１ｃ内において、ピンチｔの挟持部ｔ１を閉じて吊持することにより、本体１とピンチｔは固着されずに自由になるため、ブラジャー２の重心に従い本体１が傾き、略垂直に吊持することができる。
【００３４】
また、図７および図８に示す他の実施形態の物干し具用補助掛け具においては、本体１をピンチｔで把持する前に、把持部３の中央部に形成された挿入部４に、ブラジャー２のカップ２ａの連結部２ｂを挿入し、ブラジャー２の一対のカップ２ａ、２ａの連結部２ｂを下杆部１ｂの掛け部５に支承する。このときに、ブラジャー２は、図４に示すように、本体１の掛け部５を介して、一対のカップ２ａ、２ａが左右対称に吊持される。また、掛け部５に形成された弓形状部５ａの傾斜により、ブラジャー２は、掛け部５の長手方向の略中央に移動されて支承される。
【００３５】
そして、ブラジャー２を掛け部５に支承した状態のまま、本体１の把持部３を物干し具ｈのピンチｔにより把持する。このときに、把持部３の段部３ａをピンチｔで把持することにより、本体１がピンチｔにより、強固に把持される。また、ブラジャー２の形態などにより、万一ブラジャー２が傾いて吊された場合には、同様にして把持部３の段部３ａを把持せずに、本体１の開口部１ｃ内において、ピンチｔの挟持部ｔ１を閉じて吊持することにより、本体１とピンチｔは固着されずに自由になるため、ブラジャー２の重心に従い本体１が傾き、略垂直に吊持することができる。
【００３６】
さらに、図５および図６に示すように、物干し具ｈに懸架されたピンチｔが、指摘部ｔ２の一方側により吊持されていた場合には、図６（ａ）のように、把持部３の段部３ａを把持すると本体１が傾いてしまう。このため、図６（ｂ）のように、把持部３の段部３ａを把持せずに、本体１の開口部１ｃ内において、ピンチｔの挟持部ｔ１を閉じて吊持することにより、本体１とピンチｔは固着されずに自由になるため、本体１は略垂直になる。
【００３７】
また、本体１の把持部を物干し具ｈに懸架されたピンチｔで把持することにより、ブラジャー２の一対のカップ２ａ、２ａが、ピンチｔよりも下方に位置して吊持されるため、ブラジャー２の周辺に、靴下やハンカチなどの小物類を干すことによって、ブラジャー２を上部または外部から目立たなくすることができる。
【００３８】
そして、物干し具ｈをベランダなどの屋外に干して乾燥させた後に、上記一実施形態の物干し具用補助掛け具においては、ピンチｔに把持したまま、ブラジャー２のカップ２ａの連結部２ｂを、上杆部１ａの挿入部４より取り出して取り込むか、ピンチｔより本体１を外してから、上杆部１ａに形成された挿入部４より取り出して取り込む。また、他の実施例の物干し具用補助掛け具においては、ピンチｔより本体１を外してから、上杆部１ａの把持部３に形成された挿入部４より取り出して取り込む。
【００３９】
上述の実施形態による物干し具用補助掛け具によれば、対向する上杆部１ａと下杆部１ｂの両端部が連続することにより、ブラジャー２のカップ２ａの通り抜けを規制する扁平状の開口部１ｃが形成されているため、他の洗濯物を干している際に、ブラジャー２や物干し具ｈにぶつかったり、屋外に干した際に強風などにより、ブラジャー２自体が大きく揺れたとしても、ブラジャー２がズレて片寄り、一対のカップ２ａ、２ａのバランスが崩れ開口部１ｃから抜け出して、地面などに落下することがない。これにより、手間を掛けずに干すことができるとともに、ベランダなど屋外にも気兼ねなく干すことができる。
【００４０】
また、上杆部１ａには、物干し具ｈに懸架されたピンチｔによって、本体１を把持するための把持部３と、開口部１ｃの内外方に連通してブラジャー２のカップ２ａの連結部２ｂを、開口部１ｃ内に挿入可能な挿入部４が形成されているため、把持部３をピンチｔに把持してから、挿入部４にブラジャー２のカップ２ａの連結部２ｂを挿入することができ、物干し竿に物干し具ｈを吊したまま、他の洗濯物と一緒にブラジャー２も干すことができる。この結果、洗濯物の量が多い場合でも、種類により区別することなく、効率良く干すことができる。
【００４１】
そして、事前に挿入部４にブラジャー２のカップ２ａの連結部２ｂを挿入してから、把持部３を物干し具ｈに懸架されたピンチｔにより把持させて干すことができる。これにより、多数のピンチｔを有する物干し具ｈなどに干す場合に、ブラジャー２の肩紐部２ｄやバンド部２ｃなどが、多数のピンチｔや他の洗濯物などに絡まることなく、手際よく干すことができる。
【００４２】
さらに、上杆部１ａにブラジャー２の連結部２ｂを支承する掛け部５が形成されているため、ブラジャー２を吊す際に、水分を含んで重くなった一対のカップ２ａ、２ａを、その中央部により左右均等に干すことができ、カップ２ａ部の形状を保持するワイヤーに負担を掛けることがないとともに、肩紐部２ｄやバンド部２ｃにも負担を掛けることがない。この結果、ブラジャー２のカップ２ａの型崩れ、および肩紐部２ｄやバンド部２ｃの伸びや変形を防止することができる。
【００４３】
また、ブラジャー２のカップ２ａの連結部２ｂが、掛け部５に支承されているため、ブラジャー２のカップ２ａを物干し具ｈに懸架されたピンチｔよりも下方に位置させて干すことができ、ブラジャー２の周囲に、ハンカチや靴下などの小物類や衣服などの洗濯物を干すことによって、ブラジャー２のカップ２ａを上部から見えづらくすることができる。この結果、人目を気にすることなく、ベランダなどの屋外に干すことができる。
【００４４】
そして、把持部３が、上杆部１ａの長手方向中央部に、下杆部１ｂから離間する方向に突出して形成されているとともに、把持部３の下杆部１ｂ側が、他の部分よりも薄肉に形成されているため、簡便に物干し具ｈに懸架されたピンチｔに把持させることができるとともに、確実に把持して容易に外れてしまうことを防ぐことができる。また、ピンチｔの指摘部ｔ２の片方のみを物干し具に懸架されたピンチｔの場合、図６（ａ）に示すように、把持部３の段部３ａを把持した場合には、本体１が傾いてしまうが、図６（ｂ）に示すように、把持部３の段部３ａを把持せずに、本体１の開口部１ｃ内において、ピンチｔの挟持部ｔ１を閉じることにより、本体１はピンチｔに固着されることなく吊持することができ、本体１を垂直に吊持することができる。この結果、ブラジャー２を他の洗濯物に接触させずに干すことができる。
【００４５】
さらに、挿入部４が、上杆部１ａの長手方向に対して傾斜して形成されているため、ブラジャー２のカップ２ａの連結部２ｂをスムーズに挿入および取り出しを行うことができる。また、屋外に干した際に、ブラジャー２が風に煽られても容易に抜け出ることがない。これにより、ブラジャー２を干したり、取り込んだりする作業を効率よく行うことができるとともに、風の強い日などでも、屋外に干すことができる。
【００４６】
また、挿入部４が、把持部３に当該把持部３を分断するようにして形成されているため、挿入部４にブラジャー２のカップ２ａの連結部２ｂを挿入してから、把持部３を物干し具ｈに懸架されたピンチｔにより把持して干すことにより、ブラジャー２が強風により大きく煽られても、ブラジャー２は本体１より抜け出ることがない。この結果、風の強い日であっても、ブラジャー２がどこかに飛ばされる心配がない。
【００４７】
そして、掛け部５に、把持部３をピンチｔにより把持して吊した際に、下方に位置する下杆部１ｂの中央に向かって下降する弓形状部が形成されているため、ブラジャー２を干した際に、弓形状部５ａの傾斜により掛け部５の中央部に、ブラジャー２が寄ることによって、ブラジャー２を本体１の下杆部１ｂの中央に支承して掛けることができる。これにより、ブラジャー２を吊した際に、本体１を水平に保つことができ、掛け部５の一方の端に集まることによる洗濯物同士の重なり合いを防いで、効率良く乾燥させることができる。
【００４８】
なお、上記実施の形態において、吊下げ用の把持具ｔを物干し具ｈに懸架されたピンチｔを用いる場合のみ説明したが、これに限定されるものではなく、例えば、物干し竿や洋服掛け用のハンガーに、個別にピンチｔなどの把持具ｔを吊しても対応可能である。
また、本体１に掛けられるブラジャー２をひとつだけ掛けられる場合のみ説明したが、これに限定されるものではなく、例えば、開口部１ｃの長手方向の幅を伸ばして、２〜３枚のブラジャー２を吊しても対応可能である。その場合には、開口部１ｃの幅に応じて、把持部３を２箇所設けて対応することになる。また、掛け部５の弓形状部５ａは、弓形状部５ａを複数設けて波形にして対応することになる。
【産業上の利用可能性】
【００４９】
複数のピンチが懸架された物干し具に利用することができる。
【符号の説明】
【００５０】
１  本体
１ａ  上杆部
１ｂ  下杆部
１ｃ  開口部
２  ブラジャー
２ａ  カップ
２ｂ  連結部
３  把持部
３ａ  段部
４  挿入部
５  掛け部
５ａ  弓形状部
ｈ  物干し具
ｔ  吊下げ用の把持具（ピンチ）
【図１】
0005532889.tif 000002
【図２】
0005532889.tif 000003
【図３】
0005532889.tif 000004
【図４】
0005532889.tif 000005
【図５】
0005532889.tif 000006
【図６】
0005532889.tif 000007
【図７】
0005532889.tif 000008
【図８】
0005532889.tif 000009